(57)【要約】【課題】騒音の元となる冷却ファンおよび冷却用の空気の流れによる筐体内での共鳴音、並びに吸気口、排気口で発生する吸気音、排気音を低減することが可能な電子装置を提供する。【解決手段】筐体内部を上下に仕切る仕切板を配置し、前記仕切板に設けた穴部を塞ぐ冷却ファンと、前記筐体内の前記冷却ファンの下方に配置し、前記冷却用の空気を導入する吸気ダクトと、前記筐体内の前記冷却ファンの上方に配置し、前記冷却ファンが吐き出す空気により前記筐体内の発熱部品を冷却した後の暖気を排出する排気ダクトと、を有する電子装置において、前記吸気ダクトまたは前記排気ダクトは、垂直方向通路と水平方向通路とを交互に組み合わせたラビリンス構造とすることを特徴とする。【選択図】図４
2015220583.tif 000002
【特許請求の範囲】
【請求項１】
筐体内部を上下に仕切る仕切板を配置し、前記仕切板に設けた穴部を塞ぐ冷却ファンと、前記筐体内の前記冷却ファンの下方に配置し、前記冷却用の空気を導入する吸気ダクトと、前記筐体内の前記冷却ファンの上方に配置し、前記冷却ファンが吐き出す空気により前記筐体内の発熱部品を冷却した後の暖気を排出する排気ダクトと、を有する電子装置において、
前記吸気ダクトまたは前記排気ダクトは、垂直方向通路と水平方向通路とを交互に組み合わせたラビリンス構造とすることを特徴とする電子装置。
【請求項２】
筐体内部を上下に仕切る仕切板を配置し、前記仕切板に設けた穴部を塞ぐ冷却ファンと、前記筐体内の前記冷却ファンの下方に配置し、前記冷却用の空気を導入する吸気ダクトと、前記筐体内の前記冷却ファンの上方に配置し、前記冷却ファンが吐き出す空気により前記筐体内の発熱部品を冷却した後の暖気を排出する排気ダクトと、を有する電子装置において、
前記吸気ダクトまたは前記排気ダクトは、吸音材で構成され、垂直方向通路と水平方向通路とを交互に組み合わせたラビリンス構造とし、前記水平方向通路の少なくとも一つに吸音材で構成された複数のボスが千鳥状配列に立設されていることを特徴とする電子装置。
【請求項３】
請求項２に記載の電子装置において、前記吸気ダクトまたは前記排気ダクトの前記水平方向通路に設けられた前記ボスは、円柱形状もしくは三角柱形状の吸音材であることを特徴とする電子装置。
【請求項４】
請求項１乃至請求項３のいずれかに記載の電子装置において、前記筐体側面との間に所定の間隙から成る外部通路を設け、前記筐体側面が前記筐体内部で発生した熱によって暖められ、前記外部通路の下部に設けた外気吸気用穴から取り込まれた空気が前記外部通路の上部に設けた排気用穴から煙突効果により外部に排出されることを特徴とする電子装置。
【発明の詳細な説明】
【技術分野】
【０００１】
本発明は、電子装置の冷却構造に係り、特に、放送用カメラに適応可能な冷却構造を有する電子装置に関する。
【背景技術】
【０００２】
従来の放送用のテレビジョンカメラでは、カメラ筐体内部にファンを実装し、カメラ筐体下部に設けた吸気口から冷却用の空気を吸入して内部熱源の冷却を行い、内部熱源によって暖められた空気をカメラ筐体の上部または後部に設けた排気口から排出することによって、カメラ内部の冷却を行っていた。
【０００３】
特許文献１には、回路基板の電子回路デバイスで発生した熱をファンの対流による放熱と熱伝導による放熱で効率良く筐体外に排出することができ、筐体内の温度上昇が抑えられるようにしたテレビジョンカメラの技術が開示されている。
また、特許文献１のポータブルタイプのテレビジョンカメラでは、テレビジョンカメラの筐体に放熱用のファンが設けてあり、筐体の底部および側面下部に設けた吸気口から取り込まれた空気が、放熱フィンや複数の回路基板の間を通った後、筐体の背面側下部に設けた排気口から外部に排出されるようになっている。
【先行技術文献】
【特許文献】
【０００４】
【特許文献１】特開２０１１−１７２０５５号公報
【発明の概要】
【発明が解決しようとする課題】
【０００５】
しかしながら、特許文献１のようなポータブルタイプのテレビジョンカメラと異なり、放送用のスタジオカメラでは、筐体内にファンは設けられても、筐体の底部および側面下部に設けた吸気口から取り込んだ冷却用の空気を排出するための排気口を、筐体の背面側に設けることは構造上できない。
ここで、従来の放送用スタジオカメラのカメラ本体の冷却方法について、図７及び図８を参照して説明する。図７は、従来の放送用スタジオカメラのカメラ本体の外観を示す前方斜め上方からの斜視図である。また、図８は、図７の放送用スタジオカメラのカメラ本体のアセンブリカット断面図である。なお、黒の太矢印は、冷却用空気の流れる流路を示している。
【０００６】
図７及び図８に示すように、前面に大型レンズを装着し放送用スタジオカメラとして使用する従来のカメラ本体１００では、カメラ本体１００の上部に空冷ファン１０１を配置し、カメラ本体１００の下部に設けた図示しない吸気口より空気を取り込み、取り込んだ空気で熱源部品１０２を冷却した後、暖められた空気を上部に設けた図示しない排気口から外部に排出する冷却構造となっていた。また、カメラ本体１００では、特に筐体としての静穏化対策は行っておらず、静穏タイプの空冷ファンを使用することで静穏化を行っていた。
【０００７】
しかし、従来のカメラ本体１００では、熱源部品１０２を実装する複数の回路基板やその他の搭載部品のレイアウトの関係で、空冷ファン１０１をカメラ本体１００上部の空間的に狭い箇所に配置せざるを得なかったため、空冷ファン１０１自体の大きさが制限されてしまうという問題があった。また、カメラ本体１００の下部の吸気口から上部の排気口までの冷却用の空気の流路が複雑になっていたため、カメラ本体１００内部での空気の流れに無理が生じて効率よい冷却ができないという問題があった。さらに、空冷ファン１０１が小型になることによって、冷却に必要な空気の流量を確保するために冷却ファン１０１を高速で回転させなければならず、冷却ファン１０１によってかき回された空気が筐体内で共鳴し、その騒音が問題となっていた。
【０００８】
また、カメラ本体１００の上部に冷却ファン１０１を配置することで、冷却ファン１０１がカメラマンの耳元により近い位置関係となることから、空冷ファン１０１による騒音がカメラマンに不快感を与える結果となっていた。また、静かなスタジオにおいては、冷却用の空気を導入する吸気口、並びに外部に暖気を排出する排気口から漏れ出す音がより一層強調されることから、空冷ファン１０１の回転数を下げたり、時には空冷ファン１０１自体を停止させる必要があった。そのため、カメラ本体１００の内部温度が上昇し撮影に多大な影響を与えることがあった。
【０００９】
本発明は、この様な問題を解決するためになされたもので、騒音の元となる冷却ファンおよび冷却用の空気の流れによる筐体内での共鳴音、並びに吸気口、排気口で発生する吸気音、排気音を低減することが可能な電子装置を提供することを目的とする。
【課題を解決するための手段】
【００１０】
上記目的を達成するための本発明に係る電子装置は、筐体内部を上下に仕切る仕切板を配置し、前記仕切板に設けた穴部を塞ぐ冷却ファンと、前記筐体内の前記冷却ファンの下方に配置し、前記冷却用の空気を導入する吸気ダクトと、前記筐体内の前記冷却ファンの上方に配置し、前記冷却ファンが吐き出す空気により前記筐体内の発熱部品を冷却した後の暖気を排出する排気ダクトと、を有する電子装置において、前記吸気ダクトまたは前記排気ダクトは、垂直方向通路と水平方向通路とを交互に組み合わせたラビリンス構造とすることを特徴とする。
【００１１】
また、上記目的を達成するための本発明に係る電子装置は、筐体内部を上下に仕切る仕切板を配置し、前記仕切板に設けた穴部を塞ぐ冷却ファンと、前記筐体内の前記冷却ファンの下方に配置し、前記冷却用の空気を導入する吸気ダクトと、前記筐体内の前記冷却ファンの上方に配置し、前記冷却ファンが吐き出す空気により前記筐体内の発熱部品を冷却した後の暖気を排出する排気ダクトと、を有する電子装置において、前記吸気ダクトまたは前記排気ダクトは、吸音材で構成され、垂直方向通路と水平方向通路とを交互に組み合わせたラビリンス構造とし、前記水平方向通路の少なくとも一つに吸音材で構成された複数のボスが千鳥状配列に立設されていることを特徴とする。
【００１２】
また、上記目的を達成するための本発明に係る電子装置は、上記した電子装置において、前記吸気ダクトまたは前記排気ダクトの前記水平方向通路に設けられた前記ボスは、円柱形状もしくは三角柱形状の吸音材であることを特徴とする。
【００１３】
また、上記目的を達成するための本発明に係る電子装置は、上記した電子装置において、前記筐体側面との間に所定の間隙から成る外部通路を設け、前記筐体側面が前記筐体内部で発生した熱によって暖められ、前記外部通路の下部に設けた外気吸気用穴から取り込まれた空気が前記外部通路の上部に設けた排気用穴から煙突効果により外部に排出されることを特徴とする。
【発明の効果】
【００１４】
以上説明したように、本発明によれば、騒音の元となる冷却ファンおよび冷却用の空気の流れによる筐体内での共鳴音、並びに吸気口、排気口で発生する吸気音、排気音を低減することが可能な電子装置を提供することができる。
【図面の簡単な説明】
【００１５】
【図１】本発明の実施形態１に係る電子装置の一例を示す前方斜め上方からの斜視図である。
【図２】本発明の実施形態１に係る電子装置の一例を示す前方斜め下方からの斜視図である。
【図３】本発明の実施形態１に係る電子装置の構成を示す分解斜視図である。
【図４】図１に示すＡ−Ａ面で切断した場合の断面図である。
【図５】図４に示すＢ部の詳細図である。
【図６】図１に示すＣ−Ｃ面で切断した場合の断面図である。
【図７】従来の放送用スタジオカメラのカメラ本体の外観を示す前方斜め上方からの斜視図である。
【図８】図７の放送用スタジオカメラのカメラ本体のアセンブリカット断面図である。
【発明を実施するための形態】
【００１６】
＜実施形態１＞
以下、本発明の実施形態１に係る電子装置について、詳細に説明する。
本発明の実施形態１に係る電子装置１は、前面に大型レンズを装着し放送局のスタジオ等で使用する放送用スタジオカメラのカメラ本体を例にして説明するが、屋内で使用する放送用スタジオカメラに限らず、同様の冷却構造を備えた電子装置であれば、本発明を適用することが可能である。
また、本発明の実施形態１に係る電子装置１は、筐体内を上下仕切板で仕切った２階建て構造とし、上下仕切板に設けた穴部に冷却ファンを取り付けて、１階部分に吸気用消音部を設置し、２階部分に電子装置１の熱源部品と排気用消音部を設置し、１階部分と２階部分を上下仕切板で完全に分離することにより、冷却ファンによる送風のショートパスを無くし冷却効率をあげることができる。
また、吸気用消音部及び排気用消音部は吸音材で形成され、さらに内部に吸音材となる複数のボスを千鳥状に配置した構造とすることにより、筐体内部で発生した音を外部に伝搬すること無く静穏を保つことができる。なお、この吸気用消音部及び排気用消音部を垂直方向の内部通路と水平方向の内部通路を交互に組み合わせるラビリンス構造とし、さらに、水平方向の内部通路に円柱形状もしくは三角柱形状のボスを風の流れを阻害しないよう千鳥状に配置することで消音効果がさらに向上する。
【００１７】
また、上記した２階建て構造によって吸気側、排気側を独立させたことにより、それぞれの吸気音または排気音の伝搬を阻害し消音効果を高めることができる。また、上下仕切板に取り付ける冷却ファンは、大きさに制限を受けることが無くなるため、大型化することが容易である。また、大型化した冷却ファンを低速で回転させても、得られる流量は小型の冷却ファンを高速で回転させたときと同じ効果がある。そのため、冷却ファンの回転を低速化でき、冷却ファンの回転による騒音を低減することができる。また、低回転の冷却ファンは流速が遅く筐体の内側に設置した消音材とあいまって筐体との共鳴音の低減に貢献する。また、この筐体の内側に設置した消音材は断熱効果もあり、電子装置１の筐体外面への伝熱が抑制され、カメラマンが電子装置１の筐体から伝わる熱による不快感を解消することができる。
【００１８】
また、本発明の実施形態１に係る電子装置１では、筐体の左右方向に、側板と、側板の外側に所定の間隔を設けて配置した側板カバーとを有する２重構造としており、側板は内部で発生する熱により暖められ、側板と側板カバーとの間には煙突効果による上昇気流（空気の流れ）が発生することにより、さらに、側板を介して内部で発生した熱を奪うことができる。
さらに、この煙突効果を側板上部に設けた排気用穴部から排出される暖風によって霧吹き効果による上昇気流の促進が図れる。
また、１階部分と２階部分との間に配置した冷却ファンが動作することにより、冷却用の空気が筐体下部に設けた外気導入用穴より吸気用消音部を経由して取り込まれる。このとき、側板の下部に外気吸気用穴部を設けることで、先程の煙突効果をさらに促進させる効果がある。この一連の構造によって、外部より冷却用の空気を導入する空冷機構を採用した場合でも、電子装置の静穏を保つことができるようになっている。
【００１９】
［電子装置１の構成］
次に、本発明の実施形態１に係る電子装置の構成について、図１〜図６を参照して詳細に説明する。
図１は、本発明の実施形態１に係る電子装置の一例を示す前方斜め上方からの斜視図である。図２は、本発明の実施形態１に係る電子装置の一例を示す前方斜め下方からの斜視図である。図３は、本発明の実施形態１に係る電子装置の構成を示す分解斜視図である。図４は、図１に示すＡ−Ａ面で切断した場合の断面図である。図５は、図４に示すＢ部の詳細図である。また、図６は、図１に示すＣ−Ｃ面で切断した場合の断面図である。
なお、以下の説明において、部品名称のカッコ内に付すＲの文字は装置の右側面に取り付ける部品を示し、また、Ｌの文字は装置の左側面に取り付ける部品を示す。
【００２０】
電子装置１の筐体部分は、図１〜図３に示すように、メインとなるシャーシ１１があり、シャーシ１１の左側面の開口を塞ぐように下側板（Ｌ１）１７，上側板（Ｌ１）１９及び下側板（Ｌ２）３１，上側板（Ｌ２）３３がシャーシ１１に取り付けられ、シャーシ１１の右側面の開口を塞ぐように下側板（Ｒ１）１８，上側板（Ｒ１）２０及び下側板（Ｒ２）３２，上側板（Ｒ２）３４がシャーシ１１に取り付けられている。また、下側板（Ｌ１）１７，上側板（Ｌ１）１９及び下側板（Ｌ２）３１，上側板（Ｌ２）３３を覆うようにして、下側板カバー（Ｌ１）２１，上側板カバー（Ｌ１）２３及び下側板カバー（Ｌ２）３５，上側板カバー（Ｌ２）３７がそれぞれシャーシ１１に取り付けられ、下側板（Ｒ１）１８，上側板（Ｒ１）２０及び下側板（Ｒ２）３２，上側板（Ｒ２）３４を覆うようにして、下側板カバー（Ｒ１）２２，上側板カバー（Ｒ１）２４及び下側板カバー（Ｒ２）３６，上側板カバー（Ｒ２）３８がそれぞれシャーシ１１に取り付けられている。
なお、下側板（Ｌ１）１７，上側板（Ｌ１）１９と下側板（Ｒ１）１８，上側板（Ｒ１）２０、また、下側板（Ｌ２）３１，上側板（Ｌ２）３３と下側板（Ｒ２）３２，上側板（Ｒ２）３４、また、下側板カバー（Ｌ１）２１，上側板カバー（Ｌ１）２３と下側板カバー（Ｒ１）２２，上側板カバー（Ｒ１）２４、また、下側板カバー（Ｌ２）３５，上側板カバー（Ｌ２）３７と下側板カバー（Ｒ２）３６，上側板カバー（Ｒ２）３８は、それぞれ電子装置１の中心を通る前後方向の鉛直面に対して、略左右対称な形状を成している。
【００２１】
また、シャーシ１１は、図２及び図３に示すように、底面に、シャーシ１１内に外気を取り込むための外気導入用穴１１ｄ、外気導入用穴１１ｅ、外気導入用穴１１ｆ及び外気導入用穴１１ｇを有している。
また、下側板（Ｌ１）１７、下側板（Ｒ１）１８、下側板（Ｌ２）３１及び下側板（Ｒ２）３２は、それぞれ、冷却用の空気を取り込むための外気吸気用穴１７ｂ、外気吸気用穴１８ｂ、外気吸気用穴３１ｂ及び外気吸気用穴３２ｂを有している。
また、上側板（Ｌ１）１９、上側板（Ｒ１）２０、上側板（Ｌ２）３３及び上側板（Ｒ２）３４は、排気音を吸収するための排気用消音部１９ａ、排気用消音部２０ａ、排気用消音部３３ａ及び排気用消音部３４ａをそれぞれ備え、また、排気用消音部１９ａ、排気用消音部２０ａ、排気用消音部３３ａ及び排気用消音部３４ａを通過した空気を外部に排出するための排気用穴１９ｂ（図示なし）、排気用穴２０ｂ、排気用穴３３ｂ（図示なし）及び排気用穴３４ｂを有している。
また、下側板カバー（Ｌ１）２１、下側板カバー（Ｒ１）２２、下側板カバー（Ｌ２）３５及び下側板カバー（Ｒ２）３６は、それぞれ、冷却用の空気を取り込むための外気吸気用穴部２１ａ、外気吸気用穴部２２ａ、外気吸気用穴部３５ａ及び外気吸気用穴部３６ａを備えている。
また、上側板カバー（Ｌ１）２３、上側板カバー（Ｒ１）２４、上側板カバー（Ｌ２）３７及び上側板カバー（Ｒ２）３８は、排気用穴部２３ａ、排気用穴部２４ａ、排気用穴部３７ａ及び排気用穴部３８ａを備えている。
【００２２】
また、図３、図４及び図６に示すように、シャーシ１１には、電子装置１の前後方向でスペースを仕切るための中央仕切板１１ａが設けてあり、中央仕切板１１ａを境にして、前方スペースには、ＣＣＤ（Ｃｈａｒｇｅ  Ｃｏｕｐｌｅｄ  Ｄｅｖｉｃｅ）やＣＣＤ等を制御するための回路基板（１）１２及び回路基板（２）１３が、また、後方スペースには、電子装置１を制御するための制御基板４１や電源ユニット４２等が搭載されており、それらの部品にはＣＰＵ（Ｃｅｎｔｒａｌ  Ｐｒｏｃｅｓｓｉｎｇ  Ｕｎｉｔ）等の発熱を伴う熱源部品が実装されている。
【００２３】
また、図３及び図４に示すように、シャーシ１１内の前方スペースにおいて、上下方向で空間を仕切るための上下仕切板１１ｂがシャーシ１１に取り付けられている。また、回路基板（１）１２及び回路基板（２）１３の下方には、回路基板（１）１２及び回路基板（２）１３に実装された熱源部品を冷却するための冷却ファン１４が配置されている。また、冷却ファン１４は、上下仕切板１１ｂに設けた穴部を塞ぐようにして取り付けられ、下部空間から上部空間に向かって空気を吐き出し、吐き出した空気が回路基板（１）１２及び回路基板（２）１３に実装された熱源部品に直接当たるよう配置されている。
【００２４】
また、図４に示すように、シャーシ１１内の前方スペースにおいて、シャーシ１１内の底面には、外気から冷却用の空気を吸入する際に発生する吸気音を吸収するための吸気用消音部１５及び吸気用消音部１６が設けられ、また、吸気用消音部１５及び吸気用消音部１６を通過した後の吸気音を緩和するための下部消音材２５及び下部消音材２６を備えている。また、シャーシ１１内の天面には、シャーシ１１内の前方スペース内を通過後に発生する暖気による騒音を緩和するための上部消音材２７及び上部消音材２８を備えている。なお、下部消音材２５、下部消音材２６、上部消音材２７及び上部消音材２８は、例えば、発泡ウレタンスポンジ等の材質でできている。
【００２５】
また、図３及び図６に示すように、シャーシ１１内の後方スペースにおいて、上下方向で空間を仕切るための上下仕切板１１ｃがシャーシ１１に取り付けられている。また、制御基板４１及び電源ユニット４２の下方には、制御基板４１及び電源ユニット４２に実装された熱源部品を冷却するための冷却ファン４３が配置されている。また、冷却ファン４３は、上下仕切板１１ｃに設けた穴部を塞ぐようにして取り付けられ、下部空間から上部空間に向かって空気を吐き出し、吐き出した空気が制御基板４１及び電源ユニット４２に実装された熱源部品に直接当たるよう配置されている。
【００２６】
また、図６に示すように、シャーシ１１内の底面には、外気から冷却用の空気を吸入する際に発生する吸気音を吸収するための吸気用消音部４４及び吸気用消音部４５が設けられ、また、吸気用消音部４４及び吸気用消音部４５を通過した後の吸気音を緩和するための下部消音材４６及び下部消音材４７を備えている。また、シャーシ１１内の天面には、シャーシ１１内の後方スペース内を通過後に発生する暖気による騒音を緩和するための上部消音材４８及び上部消音材４９を備えている。なお、下部消音材４６、下部消音材４７、上部消音材４８及び上部消音材４９は、例えば、発泡ウレタンスポンジ等の材質でできている。
【００２７】
ここで、上側板（Ｌ１）１９、上側板（Ｒ１）２０、上側板（Ｌ２）３３及び上側板（Ｒ２）３４に設けた排気用消音部１９ａ、排気用消音部２０ａ、排気用消音部３３ａ及び排気用消音部３４ａについて、図５を参照して詳細に説明する。図５は、図４に示すＢ部の詳細図である。また、図５の（ａ）は内部構造を説明するための斜視図であり、また、図５の（ｂ）は（ａ）のボスが円柱形状のボスの場合のＤ方向から見た冷却用空気の流れを説明するための図であり、また、図５の（ｃ）は（ａ）のボスが三角柱形状のボスの場合のＤ方向から見た暖気の流れを説明するための図である。なお、黒の太矢印は冷却用の空気の流れ方向を示している。
上側板（Ｒ１）２０の排気用消音部２０ａは、内部排気通路（縦）５１と内部排気通路（横）５２とを交互に組み合わせ、迷路のように入り組んだラビリンス構造を成しており、また、内部排気通路（横）５２には複数のボス５３が千鳥状配列に立設されている。
【００２８】
そして、上部消音材２８を通過した後、排気用消音部２０ａに流入した暖気は、千鳥状配列に立設されボス５３の間を縫うように流れることにより、シャーシ１１内部で発生した音を外部に伝搬すること無く静穏状態を保つことができる。
また、図５の（ｂ）または（ｃ）に示すように、例えば、ボス５３を円柱形状のボス５３ａや三角柱形状のボス５３ｂにして空気の流れを阻害しないようにすることにより、消音効果をさらに向上させることができる。
【００２９】
［電子装置１の冷却方法］
次に、本発明の電子装置１の冷却方法について、図４及び図６を参照して詳細に説明する。なお、図４は、シャーシ１１内の前方スペース内を示しており、黒の太矢印は冷却用空気の流れる流路を示している。また、図６は、シャーシ１１内の後方スペース内を示しており、黒の太矢印は冷却用空気の流れる流路を示している。
【００３０】
電子装置１のシャーシ１１内の前方スペース内においては、図４の内部流路Ｗ１の矢印で示すように、冷却ファン１４を動作させると、シャーシ１１の底面に設けた外気導入穴１１ｄ，外気導入穴１１ｅ及び下側板（Ｌ１）１７，下側板（Ｒ１）１８の外気吸気用穴１７ｂ，外気吸気用穴１８ｂを介して冷却用の空気が外部から取り込まれ、取り込まれた空気は、吸気用消音部１５及び吸気用消音部１６に流入する。このとき、吸気用消音部１５及び吸気用消音部１６により外気吸入時に発生する吸気音が消音されつつシャーシ１１内部へと導かれる。
吸気用消音部１５及び吸気用消音部１６を通過した空気は、下部消音材２５及び下部消音材２６を通過する際に、さらに吸気音が吸収されて、冷却ファン１４内に流入する。
【００３１】
冷却ファン１４から吐き出された空気は、回路基板（１）１２及び回路基板（２）１３に実装された熱源部品から熱を奪い、シャーシ１１の天面に設置した上部消音材２７及び上部消音材２８に突き当たる。
上部消音材２７及び上部消音材２８に突き当たった暖気は、上部消音材２７及び上部消音材２８にて風音が吸収された後左右に方向を変え、上側板（Ｌ１）１９及び上側板（Ｒ１）２０に設けた排気用消音部１９ａ及び排気用消音部２０ａに流入する。
排気用消音部１９ａ及び排気用消音部２０ａにて消音された暖気は、上側板（Ｌ１）１９及び上側板（Ｒ１）２０に設けた排気用穴１９ｂ及び排気用穴２０ｂから排出され、さらに、上側板カバー（Ｌ１）２３及び上側板カバー（Ｒ１）２４に設けた排気用穴部２３ａ及び排気用穴部２４ａから外部に排出される。
【００３２】
一方、下側板（Ｌ１）１７，上側板（Ｌ１）１９と下側板カバー（Ｌ１）２１，上側板カバー（Ｌ１）２３との間、及び下側板（Ｒ１）１８，上側板（Ｒ１）２０と下側板カバー（Ｒ１）２２，上側板カバー（Ｒ１）２４との間に設けた間隙による外部流路Ｗ２では、シャーシ１１内部で発生した熱によって暖められた下側板（Ｌ１）１７，上側板（Ｌ１）１９及び下側板（Ｒ１）１８，上側板（Ｒ１）２０により煙突効果がもたらされる。煙突効果は暖められた空気が上昇することで起きる自然対流であり、外部流路Ｗ２上部にある上側板カバー（Ｌ１）２３及び上側板カバー（Ｒ１）２４に設けた排気用穴部２３ａ及び排気用穴部２４ａより暖気が排出される。このとき、下部にある下側板カバー（Ｌ１）２１及び下側板カバー（Ｒ１）２２に設けた外気吸気用穴部２１ａ及び外気吸気用穴部２２ａより外部から冷却用の冷たい空気が導入されるので、さらに、下側板（Ｌ１）１７，上側板（Ｌ１）１９及び下側板（Ｒ１）１８，上側板（Ｒ１）２０から熱を奪う対流となる。このとき、排気用穴部２３ａ及び排気用穴部２４ａより内部の暖気が排出される暖風により外部流路Ｗ２の自然対流を促進することができる。
【００３３】
また、電子装置１のシャーシ１１内の後方スペース内においては、図６の内部流路Ｗ３の矢印で示すように、冷却ファン４３を動作させると、シャーシ１１の底面に設けた外気導入穴１１ｆ，外気導入穴１１ｇ及び下側板（Ｌ２）３１，下側板（Ｒ２）３２の外気吸気用穴３１ｂ，外気吸気用穴３２ｂを介して冷却用の空気が外部から取り込まれ、取り込まれた空気は、吸気用消音部４４及び吸気用消音部４５に流入する。このとき、吸気用消音部４４及び吸気用消音部４５により外気吸入時に発生する吸気音が消音されつつシャーシ１１内部へと導かれる。
吸気用消音部４４及び吸気用消音部４５を通過した空気は、下部消音材４６及び下部消音材４７を通過する際に、さらに吸気音が吸収されて、冷却ファン４３内に流入する。
【００３４】
冷却ファン４３から吐き出された空気は、制御基板４１及び電源ユニット４２に実装された熱源部品から熱を奪い、シャーシ１１の天面に設置した上部消音材４８及び上部消音材４９に突き当たる。
上部消音材４８及び上部消音材４９に突き当たった暖気は、上部消音材４８及び上部消音材４９にて風音が吸収された後左右に方向を変え、上側板（Ｌ２）３３及び上側板（Ｒ２）３４に設けた排気用消音部３３ａ及び排気用消音部３４ａに流入する。
排気用消音部３３ａ及び排気用消音部３４ａにて消音された暖気は、上側板（Ｌ２）３３及び上側板（Ｒ２）３４に設けた排気用穴３３ｂ及び排気用穴３４ｂから排出され、さらに、上側板カバー（Ｌ２）３７及び上側板カバー（Ｒ２）３８に設けた排気用穴部３７ａ及び排気用穴部３８ａから外部に排出される。
【００３５】
一方、下側板（Ｌ２）３１，上側板（Ｌ２）３３と下側板カバー（Ｌ２）３５，上側板カバー（Ｌ２）３７との間、及び下側板（Ｒ２）３２，上側板（Ｒ２）３４と下側板カバー（Ｒ２）３６，上側板カバー（Ｒ２）３８との間に設けた間隙による外部流路Ｗ４では、シャーシ１１内部で発生した熱によって暖められた下側板（Ｌ２）３１，上側板（Ｌ２）３３及び下側板（Ｒ２）３２，上側板（Ｒ２）３４により煙突効果がもたらされる。煙突効果は暖められた空気が上昇することで起きる自然対流であり、外部流路Ｗ４上部にある上側板カバー（Ｌ２）３７及び上側板カバー（Ｒ２）３８に設けた排気用穴部３７ａ及び排気用穴部３８ａより暖気が排出される。このとき、下部にある下側板カバー（Ｌ２）３５及び下側板カバー（Ｒ２）３６に設けた外気吸気用穴部３５ａ及び外気吸気用穴部３６ａより外部から冷却用の冷たい空気が導入されるので、さらに、下側板（Ｌ２）３１，上側板（Ｌ２）３３及び下側板（Ｒ２）３２，上側板（Ｒ２）３４から熱を奪う対流となる。このとき、排気用穴部３７ａ及び排気用穴部３８ａより内部の暖気が排出される暖風により外部流路Ｗ４の自然対流を促進することができる。
【００３６】
以上説明したように、本発明によれば、騒音の元となる冷却ファンおよび冷却用の空気の流れによる筐体内での共鳴音、並びに吸気口、排気口で発生する吸気音、排気音を低減することが可能な電子装置を提供することができる。
【００３７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００３８】
１：電子装置、１１：シャーシ、１１ａ：中央仕切板、１１ｂ：上下仕切板、１１ｃ：上下仕切板、１１ｄ：外気導入用穴、１１ｅ：外気導入用穴、１１ｆ：外気導入用穴、１１ｇ：外気導入用穴、１２：回路基板（１）、１３：回路基板（２）、１４：冷却ファン、１５：吸気用消音部、１６：吸気用消音部、１７：下側板（Ｌ１）、１７ｂ：外気吸気用穴、１８：下側板（Ｒ１）、１８ｂ：外気吸気用穴、１９：上側板（Ｌ１）、１９ａ：排気用消音部、１９ｂ：排気用穴、２０：上側板（Ｒ１）、２０ａ：：排気用消音部、２０ｂ：排気用穴、２１：下側板カバー（Ｌ１）、２１ａ：外気吸気用穴部、２２：下側板カバー（Ｒ１）、２２ａ：外気吸気用穴部、２３：上側板カバー（Ｌ１）、２３ａ：排気用穴部、２４：上側板カバー（Ｒ１）、２４ａ：排気用穴部、２５：下部消音材、２６：下部消音材、２７：上部消音材、２８：上部消音材、３１：下側板（Ｌ２）、３１ｂ：外気吸気用穴、３２：下側板（Ｒ２）、３２ｂ：外気吸気用穴、３３：上側板（Ｌ２）、３３ａ：排気用消音部、３３ｂ：排気用穴、３４：上側板（Ｒ２）、３４ａ：排気用消音部、３４ｂ：排気用穴、３５：下側板カバー（Ｌ２）、３５ａ：外気吸気用穴部、３６：下側板カバー（Ｒ２）、３６ａ：外気吸気用穴部、３７：上側板カバー（Ｌ２）、３７ａ：排気用穴部、３８：上側板カバー（Ｒ２）、３８ａ：排気用穴部、４１：制御基板、４２：電源ユニット、４３：冷却ファン、４４：吸気用消音部、４５：吸気用消音部、４６：下部消音材、４７：下部消音材、４８：上部消音材、４９：上部消音材、５１：内部排気通路（縦）、５２：内部排気通路（横）、５３：ボス、５３ａ：円柱形状のボス、５３ｂ：三角柱形状のボス、１００：カメラ本体、１０１：空冷ファン、１０２：熱源部品、Ｗ１：内部流路、Ｗ２：外部流路、Ｗ３：内部流路、Ｗ４：外部流路。
【図１】
2015220583.tif 000003
【図２】
2015220583.tif 000004
【図３】
2015220583.tif 000005
【図４】
2015220583.tif 000006
【図５】
2015220583.tif 000007
【図６】
2015220583.tif 000008
【図７】
2015220583.tif 000009
【図８】
2015220583.tif 000010